(57)【要約】      （修正有）【課題】減速要求の直後に再び加速要求が行われるような場合に発生するエネルギの損失を抑制する。【解決手段】無段変速機の変速比のハイギア側の限界として、最もハイギアとなる第一限界Ｈ１と、第一限界よりはローギア側に偏倚した第二限界Ｈ２とを定めておく。そして、開いていたアクセル開度が０近傍に縮小する状況において、アクセル開度が０近傍に縮小する以前の時点での変速比が第二限界Ｈ２よりもローギア寄りである場合には、変速比が第二限界Ｈ２を超えてハイギア寄りとならないように無段変速機を制御するようにした。一方、アクセル開度が０近傍に縮小する以前の時点での変速比が既に第二限界Ｈ２よりもハイギア寄りである場合には、変速比が第二限界Ｈ２を超えてハイギア寄りとなることを許容する。【選択図】図３
2014126111.tif 000002
【特許請求の範囲】
【請求項１】
無段変速機を搭載した車両を制御するものであって、
無段変速機の変速比のハイギア側の限界として、最もハイギアとなる第一限界と、第一限界よりはローギア側に偏倚した第二限界とを定めておき、
開いていたアクセル開度が０近傍に縮小する状況において、アクセル開度が０近傍に縮小する以前の時点での変速比が前記第二限界よりもローギア寄りである場合には変速比が当該第二限界を超えてハイギア寄りとならないように無段変速機を制御する一方、アクセル開度が０近傍に縮小する以前の時点での変速比が前記第二限界よりもハイギア寄りである場合には変速比が当該第二限界を超えてハイギア寄りとなることを許容して無段変速機を制御する
ことを特徴とする制御装置。
【請求項２】
アクセル開度が０近傍となった後アクセル開度が再び拡大した場合の、アクセル開度の拡大初期の拡大量に応じて、以後の無段変速機の制御における前記第二限界を調整する請求項１記載の制御装置。
【請求項３】
前記第二限界を車速域毎に設定するものとし、
各車速域毎の第二限界を、当該車速域においてアクセル開度が０近傍となった後アクセル開度が再び拡大した場合の、アクセル開度の拡大初期の拡大量に応じて調整する請求項２記載の制御装置。
【発明の詳細な説明】
【技術分野】
【０００１】
本発明は、無段変速機を搭載した車両の制御装置に関する。
【背景技術】
【０００２】
近時の自動車は、自動変速機を実装していることが少なくない。車両用の自動変速機として、トルクコンバータ及びベルト式連続可変変速機構（Ｃｏｎｔｉｎｕｏｕｓｌｙ  Ｖａｒｉａｂｌｅ  Ｔｒａｎｓｍｉｓｓｉｏｎ）を具備した無段変速機がしばしば採用される。
【０００３】
運転者が踏み込んでいたアクセルペダルから足を離し、内燃機関のスロットルバルブが閉じた状態で車両がコースト走行する際には、無段変速機による変速比が最もハイギア寄りとなる（減速比の絶対値が最も小さくなる）ように無段変速機を制御することが通例となっている（例えば、下記特許文献を参照）。
【先行技術文献】
【特許文献】
【０００４】
【特許文献１】特開２０１２−１５４３８５号公報
【発明の概要】
【発明が解決しようとする課題】
【０００５】
ところで、アクセルペダルが踏まれる加速要求と、アクセルペダルから足が離れる減速要求とが交互に行われると、加速要求及び変速要求の都度無段変速機が操作されて、変速比が高下するように振動する。
【０００６】
例えば、運転者がある程度以上アクセルペダルを踏み込んでいる状態から、運転者が一旦アクセルペダルの踏み込みを止め、その後すぐにアクセルペダルを踏み直したとすると、図７に示すように、変速比は当初の状態Ｐ０から、無段変速機がハードウェア的にとり得る限度である最もハイギア寄りの変速比Ｐ１へと降下し、僅かな時間Ｐ１に留まった後、Ｐ２へと復帰することとなる。
【０００７】
このとき、Ｐ０からＰ１への変動、及びＰ１からＰ２への変動の各々において、無段変速機が駆動され、なおかつ機関の回転が減速し再加速する。従って、総体的に見ればＰ０からＰ２への比較的小さな遷移であるにもかかわらず、一旦Ｐ１を経由することによるエネルギの浪費を招き、燃費を悪化させる要因となっていた。
【０００８】
本発明は、上述の点に初めて着目してなされたものであり、減速要求の直後に再び加速要求が行われるような場合に発生するエネルギの損失を抑制することを所期の目的としている。
【課題を解決するための手段】
【０００９】
本発明では、無段変速機を搭載した車両を制御するものであって、無段変速機の変速比のハイギア（減速比の絶対値が小さい）側の限界として、最もハイギアとなる第一限界と、第一限界よりはローギア側に偏倚した第二限界とを定めておき、開いていたアクセル開度が０近傍（０または０に近い閾値以下）に縮小する状況において、アクセル開度が０近傍に縮小する以前の時点での変速比が前記第二限界よりもローギア（減速比の絶対値が大きい）寄りである場合には変速比が当該第二限界を超えてハイギア寄りとならないように無段変速機を制御する一方、アクセル開度が０近傍に縮小する以前の時点での変速比が前記第二限界よりもハイギア寄りである場合には変速比が当該第二限界を超えてハイギア寄りとなることを許容して無段変速機を制御することを特徴とする制御装置を構成した。ここで、ハイギア側の変速比の第一限界は、無段変速機がハードウェア的に実現可能な変速比の限度であることがある。アクセル開度は、一般的には、アクセルペダルの踏込量または機関のスロットルバルブの開度である。
【００１０】
このようなものであれば、アクセルペダルを踏み込んでいる運転者が一旦その足をアクセルペダルから離し、その後すぐにアクセルペダルを踏み直したときの、変速比の変動の振幅を小さく抑えることができる。ひいては、無段変速機の駆動や機関の減速／再加速に費やされるエネルギ量を削減することが可能となる。
【００１１】
加速要求においてどれくらいアクセル開度を拡大させるか、換言すればどれくらい強くアクセルペダルを踏み込むかは、その時々によって異なり、また運転者毎にも異なる。それ故、ハイギア側の変速比の第二限界は、適宜変更することが好ましい。再加速要求時には、最初にアクセルペダルを比較的強く踏み込み、その後にアクセルペダルの踏み込みを緩めることが多い。この点に着目すれば、アクセル開度の拡大初期の拡大量が多いほど、運転者の加速への意思が強いと捉えることができる。そこで、アクセル開度が０近傍となった後アクセル開度が再び拡大した場合の、アクセル開度の拡大初期の拡大量に応じて、以後の無段変速機の制御における前記第二限界を調整するものとする。
【００１２】
さらに、前記第二限界を車速域毎に設定するものとし、各車速域毎の第二限界を、当該車速域においてアクセル開度が０近傍となった後アクセル開度が再び拡大した場合の、アクセル開度の拡大初期の拡大量に応じて調整してもよい。
【発明の効果】
【００１３】
本発明によれば、減速要求の直後に再び加速要求が行われるような場合に発生するエネルギの損失を抑制することができる。
【図面の簡単な説明】
【００１４】
【図１】本発明の一実施形態における車両用内燃機関の全体構成を示す図。
【図２】同実施形態における駆動系の構成を示す図。
【図３】同実施形態における制御装置が制御する無段変速機の変速線図。
【図４】同実施形態における制御装置が制御する無段変速機の変速線図。
【図５】同実施形態の制御装置が実行する処理の手順例を示すフロー図。
【図６】本発明の変形例における無段変速機の変速線図。
【図７】従来の変速比制御による無段変速機の変速線図。
【発明を実施するための形態】
【００１５】
本発明の一実施形態を、図面を参照して説明する。図１に、本実施形態における車両用内燃機関の概要を示す。本実施形態における内燃機関は、火花点火式の４ストロークエンジンであり、複数の気筒１（図１には、そのうち一つを図示している）を具備している。本実施形態では、特に、二気筒エンジンを想定している。各気筒１の吸気ポート近傍には、燃料を噴射するインジェクタ１１を設けている。また、各気筒１の燃焼室の天井部に、点火プラグ１２を取り付けてある。点火プラグ１２は、点火コイルにて発生した誘導電圧の印加を受けて、中心電極と接地電極との間で火花放電を惹起するものである。点火コイルは、半導体スイッチング素子であるイグナイタとともに、コイルケースに一体的に内蔵される。
【００１６】
吸気を供給するための吸気通路３は、外部から空気を取り入れて各気筒１の吸気ポートへと導く。吸気通路３上には、エアクリーナ３１、電子スロットルバルブ３２、サージタンク３３、吸気マニホルド３４を、上流からこの順序に配置している。
【００１７】
排気を排出するための排気通路４は、気筒１内で燃料を燃焼させた結果発生した排気を各気筒１の排気ポートから外部へと導く。この排気通路４上には、排気マニホルド４２及び排気浄化用の三元触媒４１を配置している。
【００１８】
図２に、車両が備える駆動系の例を示す。この駆動系は、トルクコンバータ７及び自動変速機８、９を備えてなる。特に、本実施形態では、自動変速機８、９の構成要素として、遊星歯車機構を利用した前後進切換装置８、及び無段変速機の一種であるベルト式ＣＶＴ９を採用している。
【００１９】
内燃機関が出力する回転トルクは、内燃機関のクランク軸からトルクコンバータ７の入力側のポンプインペラ７１に入力され、出力側のタービンランナ７２に伝達される。タービンランナ７２の回転は、前後進切換装置８を介してＣＶＴ９の駆動軸９４に伝わり、ＣＶＴ９における変速を経て従動軸９５を回転させる。従動軸９５の回転は、出力ギア１０１に伝達される。出力ギア１０１は、デファレンシャル装置のリングギア１０２と噛合し、デファレンシャル装置を介して車軸１０３及び駆動輪（図示せず）を回転させる。
【００２０】
トルクコンバータ７は、ロックアップ機構を備える。ロックアップ機構は、この分野では既知のもので、トルクコンバータ７の入力側と出力側とを相対回動不能に締結するロックアップクラッチ７３と、ロックアップクラッチ７３を断接切換駆動するための作動液圧（油圧）を制御するロックアップソレノイドバルブ５７とを要素とする。ロックアップソレノイドバルブ５７は、制御入力たる開度制御信号ｌを受けてその開度を変化させる流量制御弁である。
【００２１】
ＣＶＴ９を搭載した車両においては、車速が所定値（例えば、１０ｋｍ／ｈ）以上である場合、ほぼ常時トルクコンバータ７をロックアップする。車速が所定値以下となれば、トルクコンバータ７のロックアップを解除する。ロックアップ時、ロックアップクラッチ７３はトルクコンバータカバー７４に押し付けられ、トルクコンバータカバー７４と一体となって回転する。ロックアップ時、トルクコンバータ７の入力側（のドライブプレート）に入力された機関のトルクは、トルクコンバータカバー７４からロックアップクラッチ７３を経由してトルクコンバータ７の出力側、ひいては前後進切換装置８に直接伝達される。ロックアップ時、トルクコンバータ７の出力側回転数の入力側回転数に対する比である速度比は１となる。
【００２２】
非ロックアップ時には、ロックアップクラッチ７３がトルクコンバータカバー７４から離反する。非ロックアップ時、トルクコンバータ７の入力側に入力された機関のトルクは、トルクコンバータカバー７４からポンプインペラ７１、タービン７２へと伝わり、前後進切換装置８に伝達される。非ロックアップ時、トルクコンバータ７の速度比は、駆動状態に応じて１よりも小さくなったり大きくなったりする。
【００２３】
前後進切換装置８は、そのサンギア８１がタービンランナ７２と連絡し、リングギア８２が駆動軸９４と連絡している。プラネタリギア８３１を支持するプラネタリキャリア８３と変速機ケースとの間には、断接切換可能な液圧クラッチたるフォワードブレーキ８４を介設している。また、プラネタリキャリア８３とサンギア８１（または、トルクコンバータ７の出力側）との間にも、断接切換可能な液圧クラッチたるリバースクラッチ８５を介設している。
【００２４】
走行レンジのうちのＤレンジでは、フォワードブレーキ８４を締結し、リバースクラッチ８５を切断する。これにより、トルクコンバータ７の出力軸の回転が逆転されかつ減速されて駆動軸９４に伝達され、前進走行となる。翻って、Ｒレンジでは、リバースクラッチ８５を締結し、フォワードブレーキ８４を切断する。これにより、サンギア８１とプラネタリキャリア８３とが一体的に回転し、トルクコンバータ７の出力軸と駆動軸９４とが直結して後進走行となる。フォワードブレーキ８４またはリバースクラッチ８５断接切換駆動するための作動液圧を制御するソレノイドバルブ（図示せず）は、制御信号ｍを受けてその開度を変化させる流量制御弁である。
【００２５】
非走行レンジであるＮレンジ、Ｐレンジでは、フォワードブレーキ８４及びリバースクラッチ８５をともに切断する。
【００２６】
ＣＶＴ９は、プライマリプーリ（駆動プーリ）９１及びセカンダリプーリ（従動プーリ）９２と、両プーリ９１、９２に巻き掛けられたベルト９３とを要素とする。プライマリプーリ９１は、駆動軸９４に固定した固定シーブ９１１と、駆動軸９１上にローラスプラインを介して軸方向に変位可能に支持させた可動シーブ９１２と、可動シーブ９１２の後背に配設された液圧サーボ９１３とを有しており、液圧サーボ９１３を操作し可動シーブ９１２を変位させることを通じて変速比を無段階に変更できる。並びに、セカンダリプーリ９２は、従動軸９５に固設した固定シーブ９２１と、従動軸９５上にローラスプラインを介して軸方向に変位可能に支持させた可動シーブ９２２と、可動シーブ９２２の後背に配設された液圧サーボ９２３とを有しており、液圧サーボ９２３を操作し可動シーブ９２２を変位させることを通じてトルク伝達に必要なベルト推力を与える。
【００２７】
本実施形態の制御装置たるＥＣＵ０は、プロセッサ、メモリ、入力インタフェース、出力インタフェース等を有したマイクロコンピュータシステムである。
【００２８】
入力インタフェースには、車両の実車速を検出する車速センサから出力される車速信号ａ、クランクシャフトの回転角度及びエンジン回転数を検出するエンジン回転センサから出力されるクランク角信号（Ｎ信号）ｂ、アクセルペダルの踏込量またはスロットルバルブ３２の開度をアクセル開度（いわば、運転者が指令する要求負荷、要求出力）として検出するセンサから出力されるアクセル開度信号ｃ、ブレーキペダルの踏込量またはマスタシリンダ圧を検出するセンサから出力されるブレーキ踏量信号ｄ、吸気通路３（特に、サージタンク３３）内の吸気温及び吸気圧を検出する温度・圧力センサから出力される吸気温・吸気圧信号ｅ、機関の冷却水温を検出する水温センサから出力される冷却水温信号ｆ、吸気カムシャフトまたは排気カムシャフトの複数のカム角にてカム角センサから出力されるカム角信号（Ｇ信号）ｇ、シフトレバーのレンジを知得するためのセンサ（または、シフトポジションスイッチ）から出力されるシフトレンジ信号ｈ等が入力される。
【００２９】
出力インタフェースからは、点火プラグ１２のイグナイタに対して点火信号ｉ、インジェクタ１１に対して燃料噴射信号ｊ、スロットルバルブ３２に対して開度操作信号ｋ、ロックアップクラッチ７３の断接切換用のロックアップソレノイドバルブ５７に対して開度制御信号ｌ、フォワードブレーキ８４またはリバースクラッチ８５の断接切換用のソレノイドバルブに対して開度制御信号ｍ、ＣＶＴ９に対して変速比制御信号ｎ等を出力する。
【００３０】
ＥＣＵ０のプロセッサは、予めメモリに格納されているプログラムを解釈、実行し、運転パラメータを演算して内燃機関の運転を制御する。ＥＣＵ０は、内燃機関の運転制御に必要な各種情報ａ、ｂ、ｃ、ｄ、ｅ、ｆ、ｇ、ｈを入力インタフェースを介して取得し、エンジン回転数を知得するとともに気筒１に充填される吸気量を推算する。そして、それらエンジン回転数及び吸気量等に基づき、要求される燃料噴射量、燃料噴射タイミング（一度の燃焼に対する燃料噴射の回数を含む）、燃料噴射圧、点火タイミング、トルクコンバータ７のロックアップを行うか否か、ＣＶＴ９の変速比、エアコンディショナのコンプレッサのＯＮ／ＯＦＦ、ブロワのＯＮ／ＯＦＦ、デフォッガのＯＮ／ＯＦＦ、その他各種電気負荷のＯＮ／ＯＦＦ、オルタネータ６３による出力電圧等といった各種運転パラメータを決定する。運転パラメータの決定手法自体は、既知のものを採用することが可能である。ＥＣＵ０は、運転パラメータに対応した各種制御信号ｉ、ｊ、ｋ、ｌ、ｍ、ｎを出力インタフェースを介して印加する。
【００３１】
図３及び図４に、ＥＣＵ０がＣＶＴ９を制御する際の変速線図を示す。変速線図は、車速及びアクセル開度に対応した目標入力回転数（タービン７２の回転数）を表すものであり、車速及びアクセル開度に対応したＣＶＴ９の変速比を規定する。図３及び図４（加えて、図６、図７）には、アクセル開度が１００％の場合の変速線を太い破線で、５０％の場合の変速線を太い実線で、０％の場合の変速線を太い鎖線で、それぞれ描画している。変速比は、ＣＶＴ９がハードウェア的に実現し得るローギア側の限界Ｌ及びハイギア側の限界Ｈ１の間の値をとる。
【００３２】
運転者がある程度以上アクセルペダルを踏み込んでいる状態から、運転者が一旦アクセルペダルの踏み込みを止め、その後すぐにアクセルペダルを踏み直した状況を想定する。
【００３３】
既に述べた通り、従来の変速比制御によれば、図７に示すように、アクセル開度の変化に追従して、ＣＶＴ９の変速比は当初の状態Ｐ０から、最もハイギア寄りの限界Ｈ１上の変速比Ｐ１へと降下し、僅かな時間Ｐ１に留まった後、Ｐ２へと復帰する。つまり、ＣＶＴ９の変速比が、｜Ｐ０−Ｐ１｜及び｜Ｐ２−Ｐ１｜の振幅で揺れ動く。Ｐ０からＰ１への変速比の変動、及びＰ１からＰ２への変速比の変動の各々においては、ＣＶＴ９のプーリ９１、９２が液圧で駆動され、かつ内燃機関の回転（タービン７２の回転）が減速して再加速する。従って、総体的にはＰ０からＰ２への比較的小さな遷移であるにもかかわらず、Ｐ１を経由することによるエネルギの浪費を招いてしまう。
【００３４】
本実施形態のＥＣＵ０は、アクセル開度が一旦０近傍に縮小した後、短時間で再び拡大するような状況において、ＣＶＴ９の変速比が最もハイギア寄りの限界Ｈ１まで降下してしまうことを抑止する制御を実施する。そのために、本実施形態では、最ハイギアの限界Ｈ１よりもローギア側に第二の限界Ｈ２を設定し、アクセル開度が０近傍に縮小したときの変速比の降下をこの第二限界Ｈ２に制限する。
【００３５】
これにより、図３に示すように、ＣＶＴ９の変速比は、当初の状態Ｐ０から、第二限界Ｈ２上の変速比Ｐ１’まで降下し、僅かな時間Ｐ１’に留まった後、Ｐ２へと復帰する。つまり、ＣＶＴ９の変速比が、｜Ｐ０−Ｐ１’｜及び｜Ｐ２−Ｐ１’｜の振幅で揺れ動く。この振幅は、従来の制御による振幅｜Ｐ０−Ｐ１｜及び｜Ｐ２−Ｐ１｜よりも小さい。従って、ＣＶＴ９のプーリ９１、９２が液圧で駆動されることに伴うエネルギ損失、及び内燃機関の回転の減速／再加速に伴うエネルギ損失が減少することとなる。
【００３６】
第二限界Ｈ２は、恒常的に一定とはせず、運転者のアクセル操作に応じて適宜変更する。アクセル開度が０近傍となる減速要求の後の再加速要求時には、最初にアクセルペダルが比較的強く踏み込まれてアクセル開度が急拡大し、その後アクセルペダルの踏み込みが緩められてアクセル開度が縮小する開度調節が行われることが多い。この点に着目すれば、アクセル開度の拡大初期の拡大量が多いほど、運転者の加速への意思が強いと捉えることができる。
【００３７】
そこで、本実施形態では、アクセル開度が０近傍となった後、車速が所定閾値以下となる前に（車両が停車し、または車両が非常に低速となる前に）アクセル開度が再び拡大したときの、アクセル開度の拡大初期の拡大量に応じて、以後のＣＶＴ９の変速比の制御における第二限界Ｈ２を調整する。具体的には、アクセル開度の拡大初期の拡大量が大きいほど、第二限界Ｈ２をローギア側に引き上げる。逆に、アクセル開度の拡大初期の拡大量が小さいほど、第二限界Ｈ２をハイギア側に引き下げる。
【００３８】
図５に、ＥＣＵ０が変速比制御の際に実行する処理の手順例を示す。なお、ＥＣＵ０のメモリには予め、図３等に示したような変速線のマップデータ（第一限界Ｈ１や第二限界Ｈ２を規定する情報を含む）が格納されているものとする。
【００３９】
原則として、ＥＣＵ０は、現在の車速及びアクセル開度に応じてＣＶＴ９の変速比を決定する。だが、アクセル開度が所定以上大きく開いている状態から０または０に近い閾値以下に縮小したときには（ステップＳ１）、ＣＶＴ９の変速比を第二限界Ｈ２以上に維持する（ステップＳ３）。つまり、変速線から決定される変速比が第二限界Ｈ２を超えてハイギア側の値となる場合に、ＣＶＴ９の変速比をその値までは降下させず、第二限界Ｈ２上の値に抑制する。
【００４０】
但し、アクセル開度が０近傍に縮小する直前の時点、または０近傍に縮小した瞬間の時点で、既にＣＶＴ９の変速比が第二限界Ｈ２よりもハイギア寄りであったならば（ステップＳ２）、変速比を敢えて第二限界Ｈ２まで上昇させることはせず、変速比が第二限界Ｈ２を超えてハイギア寄りとなることを容認する。図４に示すように、アクセル開度が０近傍に縮小する以前の変速比がＰ０’であるとすると、アクセル開度が０近傍に縮小した後のＣＶＴ９の変速比は、変速線から決定される、車速及びアクセル開度に応じた第一限界Ｈ１上の値Ｐ５に操作することが許される。
【００４１】
アクセル開度が０または０に近い閾値以下に縮小した後、所定時間（この時間は比較的短い時間とする）内にアクセル開度が再拡大した暁には（ステップＳ４）、ＣＶＴ９の変速比を変速線から決定される値、即ち第二限界Ｈ２よりもローギア側の値に操作する。さらに、アクセル開度が再び拡大を始めてから一定の期間内における、アクセル開度の最大値（極大値）を取得し（ステップＳ５）、この最大値の多寡に応じた第二限界Ｈ２を再決定してその情報をメモリに記憶保持する（ステップＳ６）。
【００４２】
他方、アクセル開度が０または０に近い閾値以下に縮小した後、所定時間が経過してもアクセル開度が再拡大しなかった場合（例えば、降坂路が長く続いているとき等）には、ＣＶＴ９の変速比を第二限界Ｈ２以上に維持する措置を停止する（ステップＳ７）。つまり、図３に示すように、アクセル開度が０近傍に縮小した後、第二限界Ｈ２上に制限していた変速比Ｐ３を、変速線から決定される、車速及びアクセル開度に応じた第一限界Ｈ１上の値Ｐ４に操作する。
【００４３】
本実施形態では、無段変速機９を搭載した車両を制御するものであって、無段変速機９の変速比のハイギア側の限界として、最もハイギアとなる第一限界Ｈ１と、第一限界Ｈ１よりはローギア側に偏倚した第二限界Ｈ２とを定めておき、開いていたアクセル開度が０近傍に縮小する状況において、アクセル開度が０近傍に縮小する以前の時点での変速比が前記第二限界Ｈ２よりもローギア寄りである場合には変速比が当該第二限界を超えてハイギア寄りとなることのないように無段変速機９を制御する一方、アクセル開度が０近傍に縮小する以前の時点での変速比が前記第二限界Ｈ２よりもハイギア寄りである場合には変速比が当該第二限界Ｈ２を超えてハイギア寄りとなることを許容して無段変速機９を制御する制御装置０を構成した。
【００４４】
アクセル開度が０近傍に縮小した後所定時間内にアクセル開度が再び拡大するような状況では、所定時間経過後もアクセル開度が０近傍に維持される状況（における限界Ｈ１）と比較して、無段変速機９の変速比の限界Ｈ２をよりローギア側に設定した上、無段変速機９の変速比が当該限界Ｈ２を超えてハイギアとならないように無段変速機９を制御する。本実施形態によれは、アクセル開度が一旦０近傍に縮小した後、短時間で再び拡大するような状況において、無段変速機９の変速比の変動の振幅を小さく抑えることができる。ひいては、無段変速機９の駆動や内燃機関の減速／再加速に費やされるエネルギ量を削減することが可能となり、燃費性能の向上に寄与し得る。
【００４５】
加えて、アクセル開度が０近傍となった後アクセル開度が再び拡大した場合の、アクセル開度の拡大初期の拡大量に応じて、以後の無段変速機９の制御における前記第二限界Ｈ２を上下させることとしたため、その時々の外部条件や運転者の癖等に応じて第二限界Ｈ２を更新でき、（アクセル開度が０近傍の）コースト走行時と（アクセル開度が拡大した）加速時との変速比の差を適切に縮小することができる。
【００４６】
なお、本発明は以上に詳述した実施形態に限られるものではない。例えば、無段変速機９の変速比の第二限界Ｈ２は、図３及び図４に示すように全車速域において一定（変速線図において一直線状）とするのではなく、図６に示すように車速域毎に個別に設定することができる。この場合、制御装置たるＥＣＵ０は、ステップＳ６にて、アクセル開度が再拡大したときの車速の属する車速域に関連付けて、再決定した第二限界Ｈ２をメモリに記憶保持する。そして、ステップＳ３では、そのときの車速が属する車速域に関連付けられた第二限界Ｈ２の情報をメモリから読み出し、無段変速機９の変速比を当該第二限界Ｈ２に抑制する。
【００４７】
また、第二限界Ｈ２は、アクセル開度が０近傍となった後アクセル開度が再び拡大した場合の、アクセル開度の拡大初期の拡大の速さ（単位時間あたりのアクセル開度の増大量）に応じて調整することもできる。具体的には、アクセル開度の拡大初期の拡大速度が大きいほど、第二限界Ｈ２をローギア側に引き上げる。逆に、アクセル開度の拡大初期の拡大速度が小さいほど、第二限界Ｈ２をハイギア側に引き下げる。
【００４８】
その他、各部の具体的構成や処理の手順等は、本発明の趣旨を逸脱しない範囲で種々変形が可能である。
【産業上の利用可能性】
【００４９】
本発明は、無段変速機を備える車両の変速比の制御に利用できる。
【符号の説明】
【００５０】
０…制御装置（ＥＣＵ）
３３…スロットルバルブ
９…無段変速機（ＣＶＴ）
【図１】
2014126111.tif 000003
【図２】
2014126111.tif 000004
【図３】
2014126111.tif 000005
【図４】
2014126111.tif 000006
【図５】
2014126111.tif 000007
【図６】
2014126111.tif 000008
【図７】
2014126111.tif 000009